(57)【要約】      （修正有）【課題】テスト成果物を製造する前の設計段階で、発注者の要求を完全に満たせるカード封入シミュレーションサーバの提供。【解決手段】カード、カード台紙、封入それぞれのレイヤーのデザインデータを保存し、カードレイヤーのデザインデータに基づいて、カード券面のイメージを作成して端末に表示させ、カード台紙レイヤーのデザインデータに基づいて、カード台紙のイメージを作成して端末に表示させ、カード台紙のイメージに、カード券面のイメージを重ね合わせて、カード台紙にカードを貼り付けたイメージを作成して端末に表示させ、封入レイヤーのデザインデータに基づいて、封筒のイメージを作成して端末に表示させ、カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成し端末に表示する。【選択図】図１
2013242753.tif 000002
【特許請求の範囲】
【請求項１】
端末にてカードをカード台紙に貼り付けて封筒に封入するシミュレーションを行わせるサーバであって、
カード、カード台紙、封入それぞれのレイヤーのデザインデータを保存する手段と、
カードレイヤーのデザインデータに基づいて、カード券面のイメージを作成して端末に表示させる手段と、
カード台紙レイヤーのデザインデータに基づいて、カード台紙のイメージを作成して端末に表示させる手段と、
カード台紙のイメージに、カード券面のイメージを重ね合わせて、カード台紙にカードを貼り付けたイメージを作成して端末に表示させる手段と、
封入レイヤーのデザインデータに基づいて、封筒のイメージを作成して端末に表示させる手段と、
カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成して端末に表示させる手段とを備えることを特徴とするカード封入シミュレーションサーバ。
【請求項２】
前記端末には、カード発行者の端末とカード製造業者の端末とがあり、カード発行者とカード製造業者とには異なる権限が付与されていることを特徴とする請求項１に記載のカード封入シミュレーションサーバ。
【請求項３】
端末にてカードをカード台紙に貼り付けて封筒に封入するシミュレーションを行わせるためにサーバが実行する方法であって、
カード、カード台紙、封入それぞれのレイヤーのデザインデータを保存する工程と、
カードレイヤーのデザインデータに基づいて、カード券面のイメージを作成して端末に表示させる工程と、
カード台紙レイヤーのデザインデータに基づいて、カード台紙のイメージを作成して端末に表示させる工程と、
カード台紙のイメージに、カード券面のイメージを重ね合わせて、カード台紙にカードを貼り付けたイメージを作成して端末に表示させる工程と、
封入レイヤーのデザインデータに基づいて、封筒のイメージを作成して端末に表示させる工程と、
カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成して端末に表示させる工程とを含むことを特徴とするカード封入シミュレーション方法。
【請求項４】
前記端末には、カード発行者の端末とカード製造業者の端末とがあり、カード発行者とカード製造業者とには異なる権限が付与されていることを特徴とする請求項３に記載のカード封入シミュレーション方法。
【請求項５】
端末にてカードをカード台紙に貼り付けて封筒に封入するシミュレーションを行わせるために、
サーバにカード、カード台紙、封入それぞれのレイヤーのデザインデータを保存する工程と、
カードレイヤーのデザインデータに基づいて、カード券面のイメージを作成して端末に表示させる工程と、
カード台紙レイヤーのデザインデータに基づいて、カード台紙のイメージを作成して端末に表示させる工程と、
カード台紙のイメージに、カード券面のイメージを重ね合わせて、カード台紙にカード
を貼り付けたイメージを作成して端末に表示させる工程と、
封入レイヤーのデザインデータに基づいて、封筒のイメージを作成して端末に表示させる工程と、
カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成して端末に表示させる工程とを実行させることを特徴とするカード封入シミュレーションプログラム。
【請求項６】
前記端末には、カード発行者の端末とカード製造業者の端末とがあり、カード発行者とカード製造業者とには異なる権限が付与されていることを特徴とする請求項５に記載のカード封入シミュレーションプログラム。
【発明の詳細な説明】
【技術分野】
【０００１】
本発明は、カード封入シミュレーションサーバ、方法、及びプログラムに関する。
【背景技術】
【０００２】
従来、ＩＣカード等のカード発行者（以後、イシュアとも云う）から、カードの使用者へ、カードを渡すには、このカードを封筒に封入して、郵便にて送付することが一般的であり、郵便による送付の際は、カードを使用者が受け取るまでに郵送中の事故や取り扱い不注意によって破損や折り曲げ等により使用不能となるような不具合を防止するため、所定のカード台紙に貼り付けて封入することが一般的である（例えば特許文献１参照）。
【０００３】
また、イシュアは、カード製造業者に、カードの製造だけではなく、カード台紙及び封筒も製造し、カードをカード台紙に貼り付けて封入することまでも発注することも一般的である。
【０００４】
そして、従来、カード製造業者は、発注を受けたカード及びカード台紙並び封筒について、発注者のイシュアに、設計中に設計書（仕様書）での事前確認を取り、さらに、プログラム開発が完了した時点で実機によるテスト成果物での確認を取っていた。
【先行技術文献】
【特許文献】
【０００５】
【特許文献１】特開２０１１−１１４８５号公報
【発明の概要】
【発明が解決しようとする課題】
【０００６】
しかしながら、カード製造業者は、発注者のイシュアに、設計書（仕様書）での事前確認をするが、認識の不一致や見落とし等で、テスト成果物の検証にて、初めて誤りに気づき、設計書（仕様書）の変更まで遡っての修正が必要となることがあった。すなわち、後戻りのための修正工程が必要となることがあった。
【０００７】
また、テストに必要な部材（生カード、カード台紙等々）は、発注者のイシュアの資産であるため、テストを実施すると、その資産を使ってしまい、発注者のイシュアの負担となる。
【０００８】
本発明は、このような事情を考慮してなされたもので、テスト成果物を製造する前の設計段階で、発注者の要求を完全に満たせることを課題とする。
【課題を解決するための手段】
【０００９】
本発明において上記課題を解決するために、まず請求項１の発明では、
端末にてカードをカード台紙に貼り付けて封筒に封入するシミュレーションを行わせるサーバであって、
カード、カード台紙、封入それぞれのレイヤーのデザインデータを保存する手段と、
カードレイヤーのデザインデータに基づいて、カード券面のイメージを作成して端末に表示させる手段と、
カード台紙レイヤーのデザインデータに基づいて、カード台紙のイメージを作成して端末に表示させる手段と、
カード台紙のイメージに、カード券面のイメージを重ね合わせて、カード台紙にカードを貼り付けたイメージを作成して端末に表示させる手段と、
封入レイヤーのデザインデータに基づいて、封筒のイメージを作成して端末に表示させる手段と、
カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成して端末に表示させる手段とを備えることを特徴とするカード封入シミュレーションサーバとしたものである。
【００１０】
また請求項２の発明では、
前記端末には、カード発行者の端末とカード製造業者の端末とがあり、カード発行者とカード製造業者とには異なる権限が付与されていることを特徴とする請求項１に記載のカード封入シミュレーションサーバとしたものである。
【００１１】
また請求項３の発明では、
端末にてカードをカード台紙に貼り付けて封筒に封入するシミュレーションを行わせるためにサーバが実行する方法であって、
カード、カード台紙、封入それぞれのレイヤーのデザインデータを保存する工程と、
カードレイヤーのデザインデータに基づいて、カード券面のイメージを作成して端末に表示させる工程と、
カード台紙レイヤーのデザインデータに基づいて、カード台紙のイメージを作成して端末に表示させる工程と、
カード台紙のイメージに、カード券面のイメージを重ね合わせて、カード台紙にカードを貼り付けたイメージを作成して端末に表示させる工程と、
封入レイヤーのデザインデータに基づいて、封筒のイメージを作成して端末に表示させる工程と、
カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成して端末に表示させる工程とを含むことを特徴とするカード封入シミュレーション方法としたものである。
【００１２】
また請求項４の発明では、
前記端末には、カード発行者の端末とカード製造業者の端末とがあり、カード発行者とカード製造業者とには異なる権限が付与されていることを特徴とする請求項３に記載のカード封入シミュレーション方法としたものである。
【００１３】
また請求項５の発明では、
端末にてカードをカード台紙に貼り付けて封筒に封入するシミュレーションを行わせるために、
サーバにカード、カード台紙、封入それぞれのレイヤーのデザインデータを保存する工程と、
カードレイヤーのデザインデータに基づいて、カード券面のイメージを作成して端末に表示させる工程と、
カード台紙レイヤーのデザインデータに基づいて、カード台紙のイメージを作成して端末に表示させる工程と、
カード台紙のイメージに、カード券面のイメージを重ね合わせて、カード台紙にカードを貼り付けたイメージを作成して端末に表示させる工程と、
封入レイヤーのデザインデータに基づいて、封筒のイメージを作成して端末に表示させる工程と、
カード台紙レイヤーのデザインデータに基づいて折畳んだ状態のカード台紙のイメージを作成し、封筒のイメージに、折畳んだ状態のカード台紙のイメージを重ね合わせて、カード台紙を折畳んで封筒に封入したイメージを作成して端末に表示させる工程とを実行させることを特徴とするカード封入シミュレーションプログラムとしたものである。
【００１４】
また請求項６の発明では、
前記端末には、カード発行者の端末とカード製造業者の端末とがあり、カード発行者とカード製造業者とには異なる権限が付与されていることを特徴とする請求項５に記載のカード封入シミュレーションプログラムとしたものである。
【発明の効果】
【００１５】
本発明は、カード発行者及びカード製造業が、それぞれの端末にて、カードをカード台紙に貼り付けて封筒に封入するシミュレーションを行えるという効果がある。
【００１６】
このため、本発明は、テスト成果物を製造する前の設計段階で、発注者の要求を完全に満たせるという効果がある。
【００１７】
また、本発明は、カード発行者とカード製造業者とに異なる権限を与え、例えば、カード使用者の住所氏名の登録、変更、削除をカード製造業者のみが行えるようにすることで、誤ってカード発行に必要なデータが失われることを防止できるという効果がある。
【図面の簡単な説明】
【００１８】
【図１】本発明サーバと端末との関係を示す図。
【図２】カード台紙にカードを貼り付けたイメージの例を示す図。
【図３】カード台紙をＺ折りで折畳んで封筒に封入したイメージの例を示す図。
【発明を実施するための形態】
【００１９】
以下に、本発明の一実施形態を説明する。
【００２０】
本発明サーバは、図１に示すように、データベースを有し、各イシュアの端末とカード製造業者の端末とが接続されるネットワークに接続されているものである。
【００２１】
各イシュアの端末とサーバとを接続するネットワークは、インターネットでも良い。
【００２２】
データベースは、イシュアごとに用意され、各イシュアのカード発行に係わるデータが保存され管理されている。
【００２３】
カード発行に係わるデータには、カードレイヤーとカード台紙レイヤーと封入レイヤーの三つのレイヤーそれぞれのデザインデータと、シミュレーション用の各レイヤーの設定情報と、各レイヤーのデザインデータを作成するためのデータとがある。カードレイヤーは、カード券面の表と裏のとの二つのレイヤーとしても良い。
【００２４】
カードレイヤーのデザインデータを作成するためのデータには、カード券面のフォーマットと、フォーマットに配置する文字データ（カード使用者の氏名やカード番号など）及び画像データ（カードイメージなど）とがあり、カード券面のフォーマットには複数のパターンがある。
【００２５】
カード台紙レイヤーのデザインデータを作成するためのデータには、カード台紙のフォーマットと、フォーマットに配置する文字データ（カード使用者の氏名や住所、カード番号、入会日付、所定記載事項など）及び画像データとがあり、カード台紙のフォーマット
には複数のパターンがある。
【００２６】
封入レイヤーのデザインデータを作成するためのデータには、封筒のフォーマットと、フォーマットに配置する文字データ及び画像データとがあり、封筒のフォーマットには複数のパターンがある。封筒のフォーマットには、カードを貼り付けて折畳んだカード台紙を封入したときに、カード台紙に印字されたカード使用者の氏名及び住所などが見えるように、窓が設けられている。
【００２７】
カード製造業者と各イシュアとはアカウント管理され、異なる権限が与えられる。
【００２８】
カード製造業者には、例えば、カード製造業者の端末にて、各レイヤーのデザインデータを作成するためのデータを入力して各イシュアのデータベースに登録し、各イシュアのデータベースに登録されている各レイヤーのデザインデータを作成するためのデータを変更或いは削除する権限が与えられる。
【００２９】
また、カード製造業者には、例えば、カード製造業者の端末にて、各イシュアのデータベースから、このデータを読み出して、各レイヤーのデザインデータを作成して各イシュアのデータベースに登録し、各イシュアのデータベースから、各レイヤーの設定情報とデザインデータとを読み出して、各レイヤーの設定情報とデザインデータとに基づいて、カード、カード台紙、封筒それぞれのイメージを表示出力させ、カードをカード台紙に貼り付けて封筒に封入するシミュレーションを行える権限も与えられる。
【００３０】
データの入力は、カード使用者ごとに変わるデータ（例えば、カード使用者の氏名や住所、カード番号）と不変のデータに分けて行う。カードの使用者ごとに変わるデータの表示は、例えば、色を変えても良いし、＄氏名＄のようにタグで記載し、変数であることが分かるようにすることが好ましい。
【００３１】
各イシュアには、例えば、それぞれのイシュアの端末にて、それぞれのイシュアのデータベースから、各レイヤーの設定情報とデザインデータとを読み出して、各レイヤーの設定情報とデザインデータとに基づいて、カード、カード台紙、封筒のイメージを表示出力させ、カードをカード台紙に貼り付けて封筒に封入するシミュレーションを行える権限が与えられる。また、読み出した各レイヤーのデザインデータに対して、例えば、文字データ又は画像データの配置位置を調整するなど、一部又は全部のレイアウトを編集して、それぞれのイシュアのデータベースの各レイヤーのデザインデータを更新する権限が与えられても良い。
【００３２】
このように、カード製造業者のみに、各レイヤーのデザインデータを作成するためのデータを、各イシュアのデータベースに登録し、変更し、或いは削除する権限が与えられることで、誤って、各レイヤーのデザインデータを作成するためのデータが失われることを防止することができる。
【００３３】
以下に、各レイヤーのデザインデータを作成し、カードをカード台紙に貼り付けて封筒に封入するシミュレーションを行う処理の流れの例を，ＳＴＥＰ１〜１０のステップごとに説明する。
【００３４】
ＳＴＥＰ１；
カード製造業者が、そのカード製造業者の端末にて、発注者のイシュアのデータベースから、カード券面のフォーマットを選択して読み出し、選択したフォーマットに配置する文字データ及び画像データを、発注者のイシュアのデータベースから読み出して、選択したフォーマットに配置するレイアウトを行って、カードレイヤーのデザインデータを作成
し、発注者のイシュアのデータベースに保存する。
この際、サーバは、発注者のイシュアのデータベースからカードレイヤーの設定情報を読み出し、この設定情報と、カードレイヤーのデザインデータとに基づいて、カード券面イメージを作成して、カード製造業者の端末に表示出力させる。
【００３５】
ＳＴＥＰ２；
カード製造業者が、そのカード製造業者の端末にて、発注者のイシュアのデータベースから、カード台紙のフォーマットを選択して読み出し、選択したフォーマットに配置する文字データ及び画像データを、発注者のイシュアのデータベースから読み出して、選択したフォーマットに配置するレイアウトを行って、カード台紙レイヤーのデザインデータを作成し、発注者のイシュアのデータベースに保存する。
この際、サーバは、発注者のイシュアのデータベースからカード台紙レイヤーの設定情報を読み出し、この設定情報と、カード台紙レイヤーのデザインデータとに基づいて、カード台紙イメージを作成してカード製造業者の端末に表示出力させる。
【００３６】
ＳＴＥＰ３；
カード製造業者が、そのカード製造業者の端末にて、カード台紙にカードを貼り付けることを指示入力すると、
サーバは、カード台紙イメージに、カード券面イメージを重ね合わせて、カード台紙にカードを貼り付けたイメージを作成しカード製造業者の端末に表示出力させる。
【００３７】
ＳＴＥＰ４；
カード製造業者が、そのカード製造業者の端末にて、発注者のイシュアのデータベースから、封筒のフォーマットを選択して読み出し、選択したフォーマットに配置する文字データ及び画像データを、発注者のイシュアのデータベースから読み出して、選択したフォーマットに配置するレイアウトを行って、封入レイヤーのデザインデータを作成し、発注者のイシュアのデータベースに保存する。
この際、サーバは、発注者のイシュアのデータベースから封入レイヤーの設定情報を読み出し、この設定情報と、封入レイヤーのデザインデータに基づいて、封筒のイメージを作成してカード製造業者の端末に表示出力させる。
【００３８】
ＳＴＥＰ５；
カード製造業者が、そのカード製造業者の端末にて、カード台紙を折畳んで封筒に封入することを指示入力すると、
サーバは、カード台紙レイヤーの設定情報とデザインデータとに基づいて折畳んだ状態のカード台紙のイメージを作成し、封筒のイメージに、折畳んだ状態のカード台紙のイメージを重ね合わせて、カード台紙を折畳んで封筒に封入したイメージを作成しカード製造業者の端末に表示出力させる。
【００３９】
ＳＴＥＰ６；
発注者のイシュアが、その発注者のイシュアの端末にて、カード券面のイメージを表示することを指示入力すると、
サーバは、その発注者のイシュアのデータベースから、カードレイヤーの設定情報とデザインデータとを読み出し、カードレイヤーの設定情報とデザインデータとに基づいて、カード券面イメージを作成して、その発注者のイシュアの端末に表示出力させる。
【００４０】
ＳＴＥＰ７；
発注者のイシュアが、その発注者のイシュアの端末にて、カード台紙のイメージを表示することを指示入力すると、
サーバは、その発注者のイシュアのデータベースから、カード台紙レイヤーの設定情報
とデザインデータとを読み出し、カード台紙レイヤーの設定情報とデザインデータとに基づいて、カード台紙イメージを作成して、その発注者のイシュアの端末に表示出力させる。
【００４１】
ＳＴＥＰ８；
発注者のイシュアが、その発注者のイシュアの端末にて、カード台紙にカードを貼り付けることを指示入力すると、
サーバは、カード台紙イメージに、カード券面イメージを重ね合わせて、カード台紙にカードを貼り付けたイメージを作成し、その発注者のイシュアの端末に表示出力させる。
【００４２】
ＳＴＥＰ９；
発注者のイシュアが、その発注者のイシュアの端末にて、封筒のイメージを表示することを指示入力すると、
サーバは、その発注者のデータベースから、封入レイヤーの設定情報とデザインデータとを読み出し、封入レイヤーの設定情報とデザインデータとに基づいて、封筒のイメージを作成して、その発注者のイシュアの端末に表示出力させる。
【００４３】
ＳＴＥＰ１０；
発注者のイシュアが、その発注者のイシュアの端末にて、カード台紙を折畳んで封筒に封入することを指示入力すると、
サーバは、カード台紙レイヤーの設定情報とデザインデータとに基づいて折畳んだ状態のカード台紙のイメージを作成し、封筒のイメージに、折畳んだ状態のカード台紙のイメージを重ね合わせて、カード台紙を折畳んで封筒に封入したイメージを作成し、その発注者のイシュアの端末に表示出力させる。
【００４４】
ここで、図２に、カード台紙にカードを貼り付けたイメージの例を示す。このイメージから、発注者のイシュア及びカード製造業者の双方は、カード台紙２０へのカード１０の貼り付け位置を確認することができる。
【００４５】
また、図３に、カード台紙をＺ折りで折畳んで封筒に封入したイメージの例を示す。このイメージから、発注者のイシュア及びカード製造業者の双方は、カード台紙２０をＺ折りで折畳んで封筒３０に封入した時の窓３１から見えるカード台紙２０の印字内容を確認することができる。
【００４６】
発注者のイシュアが、カード、カード台紙、及び封筒のデザインを了承して決定すると、各レイヤーのデザインデータを、シミュレーションで使用した各レイヤーの設定情報に基づいて、印刷データ（イメージ）に変換する。このため、シミュレーションでのイメージに等しい現物の出力が可能となる。
【符号の説明】
【００４７】
１０…カード
２０…カード台紙
２１…カード使用者の住所
２２…カード使用者の氏名
３０…封筒
３１…窓
【図１】
2013242753.tif 000003
【図２】
2013242753.tif 000004
【図３】
2013242753.tif 000005